【事件の表示】
　特許第３１１７０２７号「デジタル電子写真複写装置」の請求項１、４、８に係る特許に対する特許異議の申立てについて、次のとおり決定する。
【結　論】
　訂正を認める。
　特許第３１１７０２７号の請求項１、４に係る特許を維持する。
【理　由】
１　手続の経緯
　本件特許第３１１７０２７号に係る出願は、平成３年１０月１１日（国内優先権、平成２年１０月１０日）に出願されたものであって、平成１２年１０月６日に特許の設定登録がされ、その後その特許請求の範囲における請求項１、４、８に係る発明について、異議申立人渡辺等により特許異議の申立てがなされ、取消理由通知がされ、その指定期間内である平成１４年３月１２日に訂正請求がなされたものである。
２　訂正の適否
(1)訂正の内容
　訂正事項ａ
　特許請求の範囲の減縮を目的として、特許請求の範囲の請求項８を削除する。
　訂正事項ｂ
　訂正事項ａの訂正の結果として不明瞭になる課題を解決するための手段を明瞭にするために、明細書における特許掲載公報４頁左欄１９行〜３１行を削除する。
　訂正事項ｃ
　訂正事項ａの訂正の結果として不明瞭になる作用を明瞭にするために、特許掲載公報４頁右欄１４行〜１９行を削除する。
　訂正事項ｄ
　訂正事項ａの訂正の結果として不明瞭になる発明の効果を明瞭にするために、特許掲載公報１０頁左欄２行〜１０行を削除する。
(2)訂正の目的の適否、新規事項の有無、及び特許請求の範囲の拡張、変更の存否
　上記訂正事項ａは、特許請求の範囲の減縮を目的とした明細書の訂正に該当し、訂正事項ｂ〜ｄは、上記訂正事項ａに付随的に生じる記載不備を解消するものであって、明りょうでない記載の釈明を目的とした明細書の訂正に該当し、いずれも、新規事項の追加に該当せず、実質上特許請求の範囲を拡張し、又は変更するものではない。
(3)むすび
　したがって、上記訂正は、特許法第１２０条の４第２項、及び第３項で準用する同第１２６条第２、３項の規定に適合するので、当該訂正を認める。
３　特許異議申立について
　
(1)本件特許に係る発明
　本件特許の請求項１、４に係る発明（以下、「本件請求項１に係る発明」、「本件請求項４に係る発明」という。）は、訂正明細書の特許請求の範囲の請求項１、４に記載された次のとおりのものである。
「【請求項１】　原稿（１）を読み取る原稿読取り手段（２）と、この原稿読取り手段（２）にて読み取られた画像データ（ＤＴ）を一時蓄積する画像蓄積手段（３）と、この画像蓄積手段（３）に蓄積された画像データ（ＤＴ）に基づいて電子写真プロセスによる印字を行う画像印字手段（４）とを備えたデジタル電子写真複写装置において、電源投入時に上記原稿読取り手段（２）及び画像蓄積手段（３）の起動終了を確認した時点で、上記画像印字手段（４）の起動終了を確認する前に原稿読取り手段（２）の原稿読取り動作及び画像蓄積手段（３）の画像蓄積動作を先行開始させるジョブ制御手段（５）を備えたことを特徴とするデジタル電子写真複写装置。
　【請求項４】　原稿（１）を読み取る原稿読取り手段（２）と、この原稿読取り手段（２）にて読み取られた画像データ（ＤＴ）を一時蓄積する画像蓄積手段（３）と、この画像蓄積手段（３）に蓄積された画像データ（ＤＴ）に基づいて電子写真プロセスによる印字を行う画像印字手段（４）とを備えたデジタル電子写真複写装置において、画像印字手段（４）の印字動作中に定着器（６ａ）の温度変化を監視する温度変化監視手段（１０）と、この温度変化監視手段（１０）からの情報に基づいて定着器（６ａ）の温度が定着不良温度まで低下したか否かを判定する定着不良温度判定手段（１１）と、この定着不良温度判定手段（１１）が定着不良温度に達したと判定した時点で、画像印字手段（４）の印字動作を一旦中断させ、定着器（６ａ）の再加熱サイクルを実行する一方、原稿読取り手段（２）の原稿読取り動作及び画像蓄積手段（３）の画像蓄積動作を継続させるジョブ制御手段（１２）を備えたことを特徴とするデジタル電子写真複写装置。」
(2)申立ての理由の概要
　特許異議申立人渡辺等は、甲第１号証（特開昭６１−１４１４６４号公報）、甲第２号証（特開平１−２５８５５０号公報）、甲第３号証（特開平２−２５０５５９号公報）、甲第４号証（特開昭５９−１４０４７４号公報）、甲第５号証（特開昭６１−２２３５８号公報）を提出し、本件請求項１、４に係る発明は、甲第１号証〜甲第５号証に記載された発明に基づいて当業者が容易になし得た発明に該当し、特許法第２９条第２項の規定により特許を受けることができないから、特許を取り消すべきである旨主張している。
(3)引用刊行物記載の発明
　当審が通知した取消の理由に引用した刊行物１（上記甲第１号証）には、「複写機の自動スタート制御方法」の発明に関し、「電源投入後、複写動作可能となる迄の立ち上がり時間中に、各種複写条件設定及び自動スタートモードを受け付けるようにした複写機において、電源投入の際、異常検出機能を働かせ、異常があった場合自動スタートモードの受付を禁止するようにしたことを特徴とする複写機の自動スタート制御方法」（特許請求の範囲）であること、「電源投入後立ち上がり時間中に自動スタートモードを設定すれば、複写可能状態となった時、自動的に複写動作がスタートする」（１頁左下欄１４行〜１７行）こと、「この種自動スタート機能は従来公知となっている」（１頁左下欄２０行〜右上欄１行）こと、「機内に異常が発生している場合、各種条件設定及び自動スタートモード設定という無駄な操作を省略すると共に、オペレータが、複写動作が自動的にスタートすると誤認してその場を離れるという不具合をなくすことを目的とするものである」（２頁左上欄７行〜１７行）ことが記載されている。
　同じく当審が通知した取消の理由に引用した刊行物２（上記甲第２号証）には、「デジタル画像形成装置」の発明に関し、「複数の記憶領域を有し、違う原稿に対する書き込みと読み取りを同時に行う事が出来るデジタル複写機は広く知られている」（１頁右下欄１９行〜２頁左上欄１行）こと、「違う原稿に対する書き込みと読み取りを同時に行う事をクィックスタートと呼ぶこととする。例えば、メモリー１を書き込み装置２より用紙に書き込んでいる時に、メモリー２〜４は読取装置１０によって原稿を読取る事ができる。読み取られた画像情報は蓄えられ、現在の書き込みが終了した後、書き込みが開始される。」（３頁右下欄８行〜１４行）ことが記載されている
　同じく当審が通知した取消の理由に引用した刊行物３（上記甲第３号証）には、「記録装置の自動診断システム」の発明に関し、主としてＣＰＵを搭載している基板についてのチェックを行うオートフォールトチェック機能が記載され、具体的には、パワーオンシーケンスのコアテスト期間内において、ＲＯＭ、ＲＡＭ、ＮＶＭのチェックを行うこと、及びイニシャライズ期間中にランプ/ラインセンサのチェックを行うことが記載されている（５３頁左上欄１４行〜左下欄６行）。
　同じく当審が通知した取消の理由に引用した刊行物４（上記甲第４号証）には、「像形成装置」の発明に関し、「連続コピーの場合であればステップｆに進み、加熱ローラ表面温度が１５０℃以上であれば、そのままステップｃにおいてコピーを開始し続行する。しかし、前記加熱ローラ表面温度が１５０℃以下であればメインモータは停止し、ステップｂにおいて加熱ローラ表面温度を１８０℃に上昇させる」（２頁右下欄７行〜１３行）ことが記載されている。
　同じく当審が通知した取消の理由に引用した刊行物５（上記甲第５号証）には、「加熱器を有する記録装置」の発明に関し、「・・・該過熱器の加熱温度が該加熱不良防止設定温度以下である時記録プロセスの少なくとも一部を遅く又は停止する手段、を有することを特徴とする記録装置」（特許請求の範囲）であること、「多数枚連続複写を行った場合、・・・従来よりサーミスタ等の温度センサにより定着ローラの表面温度を検出し、この表面温度が定着温度を下まわった場合には定着不可と判断して複写を禁止するように構成していた」（１頁右下欄１８行〜２頁右上欄１１行）こと、「ここで記録プロセスの少なくとも一部を遅く又は停止する手段としては、・・・行程の一部又は全部を停止して加熱手段による加熱を十分行わせて加熱不良を防止する手段等を含むものとして表現している」（３頁左上欄２行〜８行）ことが記載されている。
(4)　対比・判断
　ア　本件請求項１に係る発明について
　本件請求項１に係る発明と刊行物１に記載された発明とを対比すると、刊行物１に記載された発明は、「機内に異常が発生している場合、各種条件設定及び自動スタートモード設定という無駄な操作を省略すると共に、オペレータが、複写動作が自動的にスタートすると誤認してその場を離れるという不具合をなくすことを目的とし、「電源投入後、複写動作可能となるまでの立ち上がり時間中に、各種複写条件設定及び自動スタートモードを受け付けるようにした複写機において、電源投入の際、異常検出機能を働かせ、異常があった場合自動スタートモードの受付を禁止するようにしたことを特徴とする複写機の自動スタート制御方法」を開示するにすぎず、本件請求項１に係る発明が構成要件とする「電源投入時に上記原稿読取り手段（２）及び画像蓄積手段（３）の起動終了を確認した時点で、上記画像印字手段（４）の起動終了を確認する前に原稿読取り手段（２）の原稿読取り動作及び画像蓄積手段（３）の画像蓄積動作を先行開始させるジョブ制御手段（５）」については開示も示唆もしない。
　次に、本件請求項１に係る発明と刊行物２に記載された発明とを対比すると、刊行物２に記載された発明は、複数の記憶領域を有し、違う原稿に対する書き込みと読み取りを同時に行う事が出来るデジタル複写機を開示するにすぎず、本件請求項１に係る発明が構成要件とする前記「ジョブ制御手段（５）」については開示も示唆もしない。
　次に、本件請求項１に係る発明と刊行物３に記載された発明とを対比すると、刊行物３記載された発明は、パワーオンシーケンスのコアテスト期間内或いはイニシャライズ期間中において、ＲＯＭ、ＲＡＭ、ＮＶＭ、ランプ/ラインセンサ等のチェックを行う記録装置の自動診断システムを開示するにすぎず、本件請求項１に係る発明が構成要件とする前記「ジョブ制御手段（５）」については開示も示唆もしない。
　次に、本件請求項１に係る発明と刊行物４に記載された発明とを対比すると、刊行物４に記載された発明は、像形成装置の発明に関し、連続コピーの場合、加熱温度が１５０℃異常であればそのままコピーを開始し続行し、前記加熱ローラ表面温度が１５０℃以下であればメインモータを停止し、加熱ローラ表面温度を１８０℃に上昇させることを開示するにすぎず、本件請求項１に係る発明が構成要件とする前記「ジョブ制御手段（５）」については開示も示唆もしない。
　次に、本件請求項１に係る発明と刊行物５に記載された発明とを対比すると、刊行物５に記載された発明は、加熱器を有する記録装置の発明に関し、過熱器の加熱温度が該加熱不良防止設定温度以下である時記録プロセスの少なくとも一部を遅く又は停止する手段を有することを特徴とする記録装置を開示するにすぎず、本件請求項１に係る発明が構成要件とする前記「ジョブ制御手段（５）」については開示も示唆もしない。
　また、刊行物１〜５に記載された発明をどのように組み合わせても、前記「ジョブ制御手段（５）」の構成を得ることはできない。
　そして、本件請求項１に係る発明は、前記構成により、「装置起動時におけるジョブの処理効率を上げることができるばかりか、画像印字手段の起動が終了した時点で、先に読取り、蓄積された画像について直ちに印字動作を行うことが可能になり、その分、ジョブの全処理時間を短縮化することができ、装置の生産性を改善することができる」という明細書記載の顕著な効果を奏するものである。
　したがって、本件請求項１に係る発明は、刊行物１〜５に記載された発明から当業者が容易に発明をすることができたものではないから、特許法第２９条第２項の規定に違反してなされたものとすることはできない。
　イ　本件請求項４に係る発明について
　本件請求項４に係る発明と刊行物１〜５に記載された発明とを対比すると、刊行物１〜５には、前記(4)アに示したとおりの発明が記載されているにすぎず、そのいずれも、本件請求項４に係る発明の構成要件である「この定着不良温度判定手段（１１）が定着不良温度に達したと判定した時点で、画像印字手段（４）の印字動作を一旦中断させ、定着器（６ａ）の再加熱サイクルを実行する一方、原稿読取り手段（２）の原稿読取り動作及び画像蓄積手段（３）の画像蓄積動作を継続させるジョブ制御手段（１２）」について開示も示唆もしない。
　そして、本件請求項４に係る発明は、前記構成により、「プリント時におけるジョブ処理効率を上げることができるばかりか、定着器の再加熱サイクルが終了した時点で、先に読取り、蓄積された画像について直ちに印字動作を行うことが可能になり、その分、ジョブの全処理時間を短縮化することができ、装置の生産性を改善することができる」という明細書記載の顕著な効果を奏するものである。
　したがって、本件請求項４に係る発明は、刊行物１〜５に記載された発明から当業者が容易に発明をすることができたものではないから、特許法第２９条第２項の規定に違反してなされたものとすることはできない。
(5)異議申立人の主張
（請求項１に係る発明について）
　特許異議申立人は、本件請求項１に係る発明と刊行物１（甲第１号証）に記載された発明とを対比し、両者は、電源投入時のウオームアップ状態において、画像印字手段の起動終了前に、先行的に情報を記憶するという点、及び、装置の起動時におけるオペレータの待ち時間の最小化を図り、装置の生産性を改善することができるという作用・効果の点で共通するとし、請求項１に係る発明は、記憶される情報が画像情報であるのに対し、刊行物１に記載された発明は、各種複写条件設定及び自動スタートモード設定である点、及び、請求項１に係る発明は、デジタル電子写真複写装置において、電源投入時に上記原稿読取り手段及び画像蓄積手段の起動終了を確認した時点で、これらの手段の動作を先行開始させるものであるのに対して、刊行物１に記載された発明は、この２点について記載されていない点で相違し、これらの相違点は、刊行物２（甲第２号証）、刊行物３（甲第３号証）に記載された発明に基づき、当業者が容易になし得る旨、主張している。
　しかしながら、刊行物１〜３には前記(4)アで述べた発明が記載されているにすぎず、刊行物１に記載された発明に、刊行物２、３に記載された発明を組み合わせたとしても、原稿読取り手段と画像蓄積手段と画像印字手段を備えたデジタル電子写真複写装置において、電源投入時に原稿読取り手段及び画像蓄積手段の起動終了を確認する構成、及び、電源投入時に上記画像印字手段の起動終了を確認する前に自動スタートモード及び各種複写条件設定（記憶）を行うという構成が得られるにすぎず、前記「ジョブ制御手段（５）」の構成を得ることはできない。
　特許異議申立人は、刊行物２（甲第２号証）には、「複数の記憶領域を有し、違う原稿に対する書き込みと読み取りを同時に行う事が出来るデジタル複写機は広く知られている」と記載され、デジタル複写機では、画像形成とは独立して原稿の画像データを読み取り記憶することができるという特徴が示され、一方、刊行物１（甲第１号証）などに記載され、よく知られている「自動スタートモード」は、デジタル複写機においても、電源投入時のウオームアップ状態において画像形成ができないという状況はアナログ機と同じであるので、デジタル複写機に、この「自動スタートモード」を適用することは容易になし得るとし、そして、この「自動スタートモード」は電源投入時のウオームアップ状態においても、画像形成に必要なこと、できることはすべて行っておき、この事前の操作によって、ウオームアップ終了とともに、自動的に画像が形成されるものであるから、この「自動スタートモード」において、「原稿の画像データの読み取り記憶もしておく」ことは、「画像形成とは独立して原稿の画像データを読み取り記憶することができる」デジタル複写機の場合、容易に想起しうる程度のものである旨、主張している。
　しかしながら、刊行物２は、「違う原稿に対する書き込みと読み取りを同時に行う事をクィックスタートと呼ぶこととする。例えば、メモリー１を書き込み装置２より用紙に書き込んでいる時に、メモリー２〜４は読取装置１０によって原稿を読取る事ができる。読み取られた画像情報は蓄えられ、現在の書き込みが終了した後、書き込みが開始される」（３頁右下欄８行〜１４行）との記載から明らかなように、画像印字ができるときに、違う原稿に対する読み取りと書き込みを同時に行うことを開示するにすぎず、コピーをスタートした場合、原稿に対する読み取り記憶と書き込みは、連携した一連の動作として行われるものであるから、画像形成とは独立して原稿の画像データを読み取り記憶することができるという特徴が示されているという特許異議申立人の主張は誤りである。
　また、刊行物１でいうところの「自動スタートモード」とは、同刊行物１に「電源投入後立ち上がり時間中に自動スタートモードを設定すれば、複写可能状態となった時、自動的に複写動作がスタートする」（１頁左下欄１４行〜１７行）と記載されていることから明らかなように、複写可能な状態になったときに、自動的に複写動作をスタートするためのモードであり、また、自動スタートモードと共に設定される各種複写条件設定に、画像データを読み取って記憶するというような操作が含まれないことは明らかである。
　したがって、刊行物２に、画像形成とは独立して原稿の画像データを読み取り記憶することができるという特徴が示され、また、刊行物１に自動スタートモードが記載されているということを前提として、「原稿の画像データの読み取り記憶もしておく」ことは、「画像形成とは独立して原稿の画像データを読み取り記憶することができる」デジタル複写機の場合、容易に想起しうる程度のものであるとした特許異議申立人の主張は、根拠がなく採用することはできない。
（請求項４に係る発明について）
　特許異議申立人は、刊行物２（甲第２号証）には、「画像形成とは独立して原稿の画像データを読み取り記憶することができる」という特徴が示され、このようなデジタル複写機においても、大量プリントによって定着器の温度が低下するという状況はアナログ機と同じであるので、刊行物４（甲第４号証）、刊行物５（甲第５号証）に記載されよく知られた技術(Ｃ)をデジタル複写機に適用することに何ら困難性はない旨主張している。
　しかしながら、刊行物２に記載されているようなデジタル複写機は、コピーをスタートした場合、原稿に対する読み取り記憶と書き込みを、連携した一連の動作として行うものであり、「画像形成とは独立して原稿の画像データを読み取り記憶することができる」ものでないことは前記したとおりであるから、刊行物４（甲第４号証）、刊行物５（甲第５号証）に記載されよく知られた技術(Ｃ)をデジタル複写機に適用したとしても、画像印字手段の印字動作を一旦中断する際には、一連の動作として行われる原稿の画像データを読み取り記憶する動作も中断する構成が必然的に得られるだけである。
　特許異議申立人は、「デジタル複写機では印字動作とは独立して原稿の画像データを読み取り記憶することができ、またそのように動作している訳であるので、わざわざ、原稿の画像データの読み取り記憶も中止する必然性はなく、原稿の画像データの読み取り記憶を継続させることに何ら困難性はない」と主張している。
　しかしながら、前記したように、刊行物２に記載されているようなデジタル複写機は、コピー動作をスタートした場合、印字動作と原稿の画像データを読み取り記憶する動作を、連携した一連の動作として行うものであり、この一連の動作を印字動作とは独立なもの、すなわち、印字動作を中断しても読み取り記憶を継続するという構成に変更するためには、その動機付けが必要となるが、異議申立人が提出したいずれの証拠にもその記載がない。
　したがって、「わざわざ、原稿の画像データの読み取り記憶も中止する必然性はなく」との理由により、「原稿の画像データの読み取り記憶を継続させることに何ら困難性はない」との特許異議申立人の主張は、根拠のないものであり採用することはできない。
(6) むすび
　以上のとおりであるから、特許異議の申立の理由及び証拠によっては、本件請求項１、４に係る発明についての特許を取り消すことはできない。
　また、他に、本件請求項１、４に係る発明についての特許を取り消すべき理由を発見できない。
よって結論のとおり決定する。
【異議決定日】
平成１４年３月２８日（２００２．３．２８）
【訂正の要旨】
（１）訂正の内容
　訂正事項ａ
　特許請求の範囲の減縮を目的として、特許請求の範囲の請求項８を削除する。
　訂正事項ｂ
　訂正事項ａの訂正の結果として不明瞭になる課題を解決するための手段を明瞭にするために、明細書における特許掲載公報４頁左欄１９行〜３１行を削除する。
　訂正事項ｃ
　訂正事項ａの訂正の結果として不明瞭になる作用を明瞭にするために、特許掲載公報４頁右欄１４行〜１９行を削除する。
　訂正事項ｄ
　訂正事項ａの訂正の結果として不明瞭になる発明の効果を明瞭にするために、特許掲載公報１０頁左欄２行〜１０行を削除する。
（５４）【発明の名称】
デジタル電子写真複写装置
（５７）【特許請求の範囲】
　【請求項１】　原稿（１）を読み取る原稿読取り手段（２）と、この原稿読取り手段（２）にて読み取られた画像データ（ＤＴ）を一時蓄積する画像蓄積手段（３）と、この画像蓄積手段（３）に蓄積された画像データ（ＤＴ）に基づいて電子写真プロセスによる印字を行う画像印字手段（４）とを備えたデジタル電子写真複写装置において、電源投入時に上記原稿読取り手段（２）及び画像蓄積手段（３）の起動終了を確認した時点で、上記画像印字手段（４）の起動終了を確認する前に原稿読取り手段（２）の原稿読取り動作及び画像蓄積手段（３）の画像蓄積動作を先行開始させるジョブ制御手段（５）を備えたことを特徴とするデジタル電子写真複写装置。
　【請求項２】　原稿（１）を読み取る原稿読取り手段（２）と、この原稿読取り手段（２）にて読み取られた画像データ（ＤＴ）を一時蓄積する画像蓄積手段（３）と、この画像蓄積手段（３）に蓄積された画像データ（ＤＴ）に基づいて電子写真プロセスによる印字を行う画像印字手段（４）とを備えたデジタル電子写真複写装置において、電源投入時に画像印字手段（４）の相対的に起動に時間がかかるサブユニット（６）の起動状態を監視する起動状態監視手段（７）と、この起動状態監視手段（７）からの情報に基づいてサブユニット（６）が正常に起動するか否かを予想判定する起動状態判定手段（８）と、この起動状態判定手段（８）にてサブユニット（６）が正常に起動すると予想判定した時点で、原稿読取り手段（２）の原稿読取り動作及び画像蓄積手段（３）の画像蓄積動作を先行開始させるジョブ制御手段（９）を備えたことを特徴とするデジタル電子写真複写機。
　【請求項３】　請求項２記載のものにおいて、起動状態監視手段（７）はサブユニット（６）としての定着器（６ａ）の温度変化を監視するものであり、起動状態判定手段（８）は定着器（６ａ）の温度上昇率によって正常に起動するか否かを予想判定するものであることを特徴とするデジタル電子写真複写装置。
　【請求項４】　原稿（１）を読み取る原稿読取り手段（２）と、この原稿読取り手段（２）にて読み取られた画像データ（ＤＴ）を一時蓄積する画像蓄積手段（３）と、この画像蓄積手段（３）に蓄積された画像データ（ＤＴ）に基づいて電子写真プロセスによる印字を行う画像印字手段（４）とを備えたデジタル電子写真複写装置において、画像印字手段（４）の印字動作中に定着器（６ａ）の温度変化を監視する温度変化監視手段（１０）と、この温度変化監視手段（１０）からの情報に基づいて定着器（６ａ）の温度が定着不良温度まで低下したか否かを判定する定着不良温度判定手段（１１）と、この定着不良温度判定手段（１１）が定着不良温度に達したと判定した時点で、画像印字手段（４）の印字動作を一旦中断させ、定着器（６ａ）の再加熱サイクルを実行する一方、原稿読取り手段（２）の原稿読取り動作及び画像蓄積手段（３）の画像蓄積動作を継続させるジョブ制御手段（１２）を備えたことを特徴とするデジタル電子写真複写装置。
　【請求項５】　原稿（１）を読み取る原稿読取り手段（２）と、この原稿読取り手段（２）にて読み取られた画像データ（ＤＴ）を一時蓄積する画像蓄積手段（３）と、この画像蓄積手段（３）に蓄積された画像データ（ＤＴ）に基づいて電子写真プロセスによる印字を行う画像印字手段（４）とを備えたデジタル電子写真複写装置において、画像印字手段（４）の印字動作中に定着器（６ａ）の温度変化を監視する温度変化監視手段（１０）と、この温度変化監視手段（１０）からの情報に基づいて定着器（６ａ）の温度が定着不良温度まで低下したか否かを判定する定着不良温度判定手段（１１）と、上記温度変化監視手段（１０）からの情報に基づいて定着器（６ａ）の温度変化率が正常であるか否かを判定する温度変化率判定手段（１３）と、上記定着不良温度判定手段（１１）が定着不良温度に達したと判定した時点で、画像印字手段（４）の印字動作を一旦中断させ、定着器（６ａ）の再加熱サイクルを実行する一方、上記温度変化率判定手段（１３）が定着器（６ａ）の温度変化率が正常であると判定する条件下でのみ、原稿読取り手段（２）の原稿読取り動作及び画像蓄積手段（３）の画像蓄積動作を継続させるジョブ制御手段（１４）を備えたことを特徴とするデジタル電子写真複写装置。
　【請求項６】　請求項５記載のものにおいて、温度変化率判定手段（１３）は、定着器（６ａ）の温度上昇率が正常であるか否かを判定するものであることを特徴とするデジタル電子写真複写装置。
　【請求項７】　請求項５記載のものにおいて、温度変化率判定手段（１３）は、定着期（６ａ）の温度低下率が正常であるか否かを判定するものであることを特徴とするデジタル電子写真複写装置。
【発明の詳細な説明】
　【産業上の利用分野】
　この発明は、デジタル電子写真複写装置に係り、特に、原稿に基づく画像データを一旦蓄責した後に印字する画像蓄積型のデジタル電子写真複写装置の改良に関する。
　【０００２】
　【従来の技術】
　従来この種の画像蓄積型のデジタル電子写真複写装置としては、原稿を読み取る原稿読み取り装置と、この原稿読み取り装置にて読み取った画像データを一旦蓄積する画像蓄積装置と、この画像蓄積装置に蓄積された画像データに基づいて電子写真プロセスによる印字を行う画像印字装置とを備え、電子ＲＤＨ（Ｅｌｅｃｔｒｏｎｉｃ　Ｒｅｃｉｒｃｕｌａｔｉｎｇ　Ｄｏｃｕｍｅｎｔ　Ｈａｎｄｌｅｒ）、逆順出力、サンプルコピー等多くの機能を実現し得るようにしたものが既に知られている。
　【０００３】
　【発明が解決しようとする課題】
　ところで、このような従来の画像蓄積型のデジタル電子写真複写装置にあっては、電子写真複写装置は印字が最終目的の装置であるため、通常、電源投入時に画像印字装置の起動を完全に確認するまではジョブを開始させる要請がないとされていた。
　【０００４】
　それゆえ、原稿読み取り装置、画像蓄積装置、画像印字装置の起動時間に差があるにも拘らず、通常、起動時間の最もかかる画像印字装置の起動が終了する時点（各装置の総ての起動が終了する時点に相当）まで電子写真複写装置を動作させることができなかった。
　【０００５】
　この結果、従来にあっては、電子写真複写装置全体が使用可能になるまでの問（５〜１０分位）、オペレータは、ジョブのプログラムを行う等の形式的な作業を行うに止まり、実体的な複写作業を行うことができないという第一の技術的課題を生ずる。
　【０００６】
　また、電子写真プロセスの画像印字装置にあっては、大量プリントによって定着器の温度が低下し過ぎると、定着不良が発生するので、定着器が定着不良温度（定着不良の危険性が予想される温度に相当）以下になると、画像印字装置の印字動作を一旦中断させ、定着器を再加熱して定着器の温度が定着可能温度まで回復するのを待つ必要があるが、定着器の再加熱サイクル（再ウオームアップ）の間（３〜７分位）、電子写真複写装置全体が使用不能になってしまうという第二の技術的課題が生ずる。
　【０００７】
　更には、印字動作中において、画像印字装置の印字動作が一旦中断するタイミングは、定着器が定着不良温度に達するか否かだけで決定されていたので、あるジョブが終了寸前で定着器が定着不良温度に達してしまうと、あるジョブが途中で待たされてしまい、当該ジョブの処理時問が不必要に嵩むという第三の技術的課題が生ずる。
　【０００８】
　この発明は、以上の技術的課題を解決するためになされたものであって、装置の起動時、あるいは、定着器の再加熱サイクル時におけるオペーレータの待ち時間の最小化を図り、装置の生産性を改善することができ、更には、画像印字手段の印字動作がジョブの途中で中断される事態をなくし、もって、定着器の再加熱サイクル時における中途処理のジョブ待ちを回避してオペレータの待ち時間の最小化を図るようにしたデジタル電子写真複写装置を提供するものである。
　【０００９】
　【課題を解決するための手段】
　すなわち、第一の技術的手段を解決する第一の発明は、図１に示すように、原稿１を読み取る原稿読取り手段２と、この原稿読取り手段２にて読み取られた画像データＤＴを一時蓄積する画像蓄積手段３と、この画像蓄積手段３に蓄積された画像データＤＴに基づいて電子写真プロセスによる印字を行う画像印字手段４とを備えたデジタル電子写真複写装置を前提とし、電源投入時に上記原稿読取り手段２及び画像蓄積手段３の起動終了を確認した時点で、上記画像印字手段４の起動終了を確認する前に原稿読取り手段２の原稿読取り動作及び画像蓄積手段３の画像蓄積動作を先行開始させるジョブ制御手段５を備えたことを特徴とするものである。
　【００１０】
　この第一の発明において、原稿読取り手段２の起動を確認する手法としては、例えば原稿読取り手段２の光源の与熱サイクル終了時点を起動終了タイミングとして検出する等適宜選定することができ、また、画像蓄積手段３の起動を確認する手法としては、例えば予め不揮発性メモリにストアしてあるデータパターンをハードディスク装置に書込み、その後そのデータを読み出して原データパターンと比較し、動作を確認する方法がある。この場合において、データを圧縮して蓄積を行うタイプにあっては、同様なデータパターンを圧縮後書込み、これを読み出し伸長して原データパターンと比較することにより圧縮、伸長器を含めて起動を確認することも可能である。更に簡単には、予めハードディスク装置のオーバライトされない領域にデータパターンを書き込んでおき、このデータパターンを正常に読み出せるか否かをチェックすることで済ませることも可能である。
　【００１１】
　また、第一の技術的課題を解決する第二の発明は、第一の発明を更に発展させ、装置起動中において画像印字手段４が故障したような状況下での無駄な原稿読取り動作及び画像蓄積動作を無くすようにしたもので、図２に示すように、原稿読取り手段２、画像蓄積手段３及び画像印字手段４を備えたデジタル電子写真複写装置を前提とし、電源投入時に画像印字手段４の相対的に起動に時間がかかるサブユニット６の起動状態を監視する起動状態監視手段７と、この起動状態監視手段７からの情報に基づいてサブユニット６が正常に起動するか否かを予想判定する起動状態判定手段８と、この起動状態判定手段８にてサブユニット６が正常に起動すると予想判定した時点で、原稿読取り手段２の原稿読取り動作及び画像蓄積手段３の画像蓄積動作を先行開始させるジョブ制御手段９を備えたことを特徴とするものである。
　【００１２】
　この第二の発明において、上記起動状態監視手段７としては例えばサブユニット６としての定着器６ａの温度変化を監視するものが用いられ、起動状態判定手段８としては定着器６ａの混度上昇率によって正常に起動するか否かを予想判定するものが用いられる。
　【００１３】
　更に、第二の技術的課題を解決する第三の発明は、図３に示すように、原稿読取り手段２、画像蓄積手段３及び画像印字手段４を備えたデジタル竃子写真複写装置を前提とし、画像印字手段４の印字動作中に定着器６ａの温度変化を監視する温度変化監視手段１０と、この温度変化監視手段１０からの情報に基づいて定着器６ａの温度が定着不良温度まで低下したか否かを判定する定着不良温度判定手段１１と、この定着不良温度判定手段１１が定着不良温度に達したと判定した時点で、画像印字手段４の印字動作を一旦中断させ、定着器６ａの再加熱サイクルを実行する一方、原稿読取り手段２の原稿読取り動作及び画像蓄積手段３の画像蓄積動作を継続させるジョブ制御手段１２を備えたことを特徴とするものである。
　【００１４】
　更にまた、第二の技術的課題を解決するための第四の発明は、第三の発明を更に発展させ、印字動作時において画像印字手段４が故障したような状況下での無駄な原稿読取り動作及び画像蓄積動作を無くすようにしたもので、図４に示すように、原稿読取り手段２、画像蓄積手段３及び画像印字手段４を備えたデジタル電子写真複写装置を前提とし、画像印字手段４の印字動作中に定着器６ａの温度変化を監視する温度変化監視手段１０と、この温度変化監視手段１０からの情報に基づいて定着器６ａの温度が定着不良温度まで低下したか否かを判定する定着不良温度判定手段１１と、上記温度変化監視手段１０からの情報に基づいて定着器６ａの温度変化率が正常であるか否かを判定する温度変化率判定手段１３と、上記定着不良温度判定手段１１が定着不良温度に達したと判定した時点で、画像印字手段４の印字動作を一旦中断させ、定着器６ａの再加熱サイクルを実行する一方、上記温度変化率判定手段１３が定着器６ａの温度変化率が正常であると判定する条件下でのみ、原稿読取り手段２の原稿読取り動作及び画像蓄積３の画像蓄積動作を継続させるジョブ制御手段１４を備えたことを特徴とするものである。
　【００１５】
　この第四の発明において、温度変化率判定手段１３としては、再加熱サイクル時における定着器６ａの温度上昇率が正常であるか否かを判定するものであってもよいし、再加熱サイクル直前の定着器６ａの温度低下率が正常であるか否かを判定するものであっても差し支えない。
　【００１６】
　【００１７】
　【００１８】
　【作用】
　上述したような技術的手段において、第一の発明によれば、ジョブ制御手段５は、電源投入時に原稿読取り手段２及び画像蓄積手段３の起動終了を確認した時点で、画像印字手段４の起動終了前であっても、画像印字手段４と機能的に切り離すことが可能な原稿読取り手段２の原稿読取り動作及び画像蓄積手段３の画像蓄積動作を画像印字手段４の印字動作に先行して開始する。
　【００１９】
　また、第二の発明によれば、ジョブ制御手段９は、電源投入時に、画像印字手段４の相対的に起動に時間がかかるサブユニット６の起動状態が正常であると予想判定される条件（サブユニット６が故障していない条件に相当）下において、画像印字手段４の起動終了前であっても、原稿読取り手段２の原稿読取り動作及び画像蓄積手段３の画像蓄積動作を画像印字手段４の印字動作に先行して開始する。
　【００２０】
　更に、第三の発明によれば、ジョブ制御手段１２は、定着器６ａが定着不良温度に達した時、画像印字手段４の印字動作を一旦中断させ、定着器６ａの再加熱サイクルを実行するが、画像印字手段４と機能的に切り離すことが可能な原稿読取り手段２の原稿読取り動作及び画像蓄積手段３の画像蓄積動作については一旦中断させることなく継続させる。
　【００２１】
　更にまた、第四の発明によれば、ジョブ制御手段１４は、定着器６ａが定着不良温度に達した時、画像印字手段４の印字動作を一旦中断させ、定着器６ａの再加熱サイクルを実行するが、定着器６ａの温度変化率が正常であると判定される条件（定着器６ａが故障していない条件に相当）下でのみ、原稿読取り手段２の嘩稿読取り動作及び画像蓄積手段３の画像蓄積動作を一旦中断させることなく継続させる。
　【００２２】
　【００２３】
　【実施例】
　以下、添付図面に示す実施例に基づいてこの発明を詳細に説明する。
　
実施例１
　目次
Ｉ．装置の概要
ＩＩ．装置の各構成要素
（１）画像入力装置
（２）画像蓄積装置
（３）画像印字装置
（４）ユーザインタフェース
（５）コントローラ
ＩＩＩ．定着器の温度制御
ＩＶ．ジョブ制御
（１）装置起動時のジョブ制御
（２）プリント時のジョブ制御
Ｖ．変形例
　【００２４】
Ｉ．装置の概要
　図６は本発明が適用されるデジタル電子写真複写装置の全体斜視図であり、原稿を読取ってデジタル画像データに変換する画像入力装置２０と、この画像入力装置２０からの画像データを一旦蓄積する画像蓄積装置５０と、この画像蓄積装置５０に蓄積された画像データに基づいて電子写真プロセスによる印字を行う画像印字装置６０と、複写ジョブ内容を指示したり、印字内容を確認したりするためのユーザインタフェース９０と、このユーザインタフェース９０からの指示に従って、画像入力装置２０、画像蓄積装置５０及び画像印字装置６０を相互の関連をもって制御するコントローラ（図示せず）とを備えている。
　【００２５】
　この実施例においては、画像は一旦画像蓄積装置５０に蓄積されるので、一枚の原稿から多数枚の複写を得ようとする場合、画像入力装置２０では一回のスキャン動作を行えばよい。また、多数枚の原稿から夫々多数枚の複写セツトを得ようとする場合、原稿を総て読取って順次画像蓄積装置５０に蓄積し、画像蓄積装置から画像データを順次読出しながらプリントするので、同様に、画像入力装置２０では一回のスキャン動作を行えばよい。
　【００２６】
ＩＩ．装置の各構成要素
（１）画像入力装置
　これは、図７及び図８に示すように、原稿２１をプラテン２２上へ順次自動的に供給する両面自動原稿送り装置（以下、ＤＡＤＨ〔Ｄｕｐｌｅｘ　Ａｕｔｏｍｔｉｃ　Ｄｏｃｕｍｅｎｔ　Ｈａｎｄｌｅｒ〕という）２３と、プラテン２２上の原稿２１を読み取るラスタインプットスキャナ（以下ＲＩＳ〔Ｒａｓｔｅｒ　Ｉｎｐｕｔ　Ｓｃａｎｎｅｒ〕という）３５と、このＲＩＳ３５からの画像データＤＴに対し各種処理（所謂シェーディング補正、ゴースト補正、地肌除去等）を施すと共に、所望の各種編集（拡大縮小、斜体、網掛け、白抜き、影付け等）を施す画像処理モジュール４５とを備えている。
　【００２７】
　この実施例において、上記ＤＡＤＨ２３は、原稿セット位置２４からプラテン２２へ向かう原稿供給パス２６と、プラテン２２から原稿収容位置２５へ向かう原稿戻しパス２７と、プラテン２２から原稿収容位置２５へ原稿２１を反転させた戻す原稿反転用戻しパス２８と、原稿収容位置２５から再度プラテン２２へ向かう原稿再供給パス２９と、原稿供給パス２６及び原稿再供給パス２９からの原稿２１をプラテン２２上へ搬送するドキュメントトランスポート３０と、各原稿送りパス２６〜２９に適宜設けられる搬送ロール３１，搬送ベルト３２とで構成されている。そして、片面原稿２１を供給する際には原稿送りパス２６，２７が使用され、また、両面原稿２１を供給する際には、先ず原稿送りパス２６，２８が使用され、次いで、原稿送りパス２９，２７が使用されるようになっている。
　【００２８】
　また、上記ＲＩＳ３５は、プラテン２２の一方向に沿って移動するスキャンキャリッジ３６にスキャン用の蛍光ランプ３７を搭載し、この蛍光ランプ３７にてプラテン２２上の原稿２１に光を移動照射し、その反射光を適宜光学系３８を経てイメージセンサ（この実施例ではＣＣＤ〔Ｃｈａｒｇｅ　Ｃｏｕｐｌｅｄ　Ｄｅｖｉｃｅ〕が使用されている）３９へ導くようになっている。そして、イメージセンサ３９に読取られた画像データはセンサインタフェース４０を経てオートゲインコントロール回路４１へ送出され、適宜ゲイン調整された後に画像処理モジュール４５へ供給される。
　尚、図８において、符号４２は蛍光ランプ３７の温度制御を行うランプヒータである。
　【００２９】
ＩＩ−（２）画像蓄積装置
　図７において、画像蓄積装置５０は、画像処理モジュール４５からの画像データＤＴを既知の圧縮アルゴリズムに従って圧縮するデータ圧縮器５１と、このデータ圧縮器５１で圧縮された画像データＤＴを画像データファイルとして蓄積するハードディスク装置５２と、このハードディスク装置５２に蓄積された圧縮画像データＤＴを既知の伸長アルゴリズムに従って伸長するデータ伸長器５３と、上記データ圧縮器５１からの画像データＤＴをハードディスク装置５２に蓄積する際、あるいは、ハードディスク装置５２からの画像データＤＴをデータ伸長器５３に転送する際に、１頁分の画像データＤＴを一旦格納するバッファとしてのペ一ジメモリ５４とで構成される。
　【００３０】
　この実施例において、上記画像データファイルの属性情報はコード化された情報として画像データファイルと一緒に上記ハードディスク装置５２に記億される。尚、画像データファイルと属性情報とを対になるように関係付けた上で、属性情報をハードディスク装置５２と異なる別のメモリに格納するようにしてもよい。
　【００３１】
　ここで、上記画像データファイルの属性情報としては、ページ数、ページ毎の分解能、階調数やカラーの有無等の画像データ構造、ページサイズないしはファーストスキャン方向（主走査方向）及びスロウスキャン方向（副走査方向）の有効ビット数あるいはバイト数、写真モードの設定有無、読取り日時等が含まれている。
　【００３２】
　また、この実施例において、ハードディスク装置５２に蓄積された画像データファイルは、属性情報を基に、ユーザインタフェース９０にて指示された処理プロセス、例えば電子ＲＤＨ、指示倍率の拡大縮小、コピー部数、両面／片面、ステープリング処理、糊付け（テープバインディング）処理等に従って画像印字装置６０から印字出力され、この段階、すなわち画像データファイルが不要になった段階で、画像データファイルは属性情報と共に消去されるようになっている。
　【００３３】
ＩＩ−（３）画像印字装置
　図７において、画像印字装置６０は、上記データ伸長器５３からの画像データＤＴに基づく光画像を生成するラスタアウトプットスキャナ（以下ＲＯＳ〔Ｒａｓｔｅｒ　Ｏｕｔｐｕｔ　Ｓｃａｎｎｅｒ〕という）６１と、電子写真プロセスに従って、上記ＲＯＳ６１にて生成された光画像に対応する潜像を形成し、この潜像を記録用紙上で可視像化するプリントモジュール７０と、上記ＲＯＳ６１の書込みタイミングに同期して記録用紙をプリントモジュール７０へ供給する用紙供給装置８０と、プリントモジュール７０による印字動作過程が終了した段階で、プリント用紙束に対して適宜後処理（例えばステープリング、テープバインディング処理等）を施すフィニッシャ８２とで構成されている。
　【００３４】
　この実施例において、上記ＲＯＳ６１及びプリントモジュール７０としては例えば図９に示すようなものが用いられる。
　同図において、符号６２は半導体レーザ、６３は半導体レーザ６２からのビームを所定の走査範囲に亘って偏向するポリゴンミラー、６４はポリゴンミラー６３にて偏向されたビームを後述する感光ドラム７１上の走査ラインに沿って結像させる結像レンズ、６５は感光ドラム７１上の走査ライン部位にビームを導くための反射ミラー、６６は半導体レーザ６２を駆動するレーザドライバ、６７はポリゴンミラー６３の駆動モータ６３ａを駆動するモータドライバ、６８は画像蓄積装置５０からの画像データＤＴに基づいてレーザドライバ６６及びモータドライバ６７に所定の制御信号を送出するＲＯＳコントローラである。
　【００３５】
　また、符号７１は周囲に光導電性の感光体層が形成される感光ドラム、７２は感光ドラム７１を予め帯電する帯電コロトロン、７３は感光ドラム７１上にＲＯＳ６１にて書き込まれた潜像（画像部電位が背景部電位よりも低いネガ潜像、あるいは、画像部電位が背景部電位よりも高いポジ潜像）をトナー現像する現像器、７４は用紙供給装置８０からのプリント用紙８１を帯電し、このプリント用紙８１に感光ドラム７１上のトナー像を転写させる転写コロトロン、７５は転写工程が終了したプリント用紙８１を感光ドラム７１から分離する分離コロトロン、７６は感光ドラム７１上の残留電荷を除去する除電コロトロン、７７は感光ドラム７１上の残留トナーを除去するクリーナ、７８はプリント用紙８１に転写されたトナー像を加熱定着させる熱定着方式のフューザ（定着器）である。
　【００３６】
ＩＩ−（４）ユーザインタフェース
　図６及び図７において、ユーザインタフェース９０は、ジョブプログラム等を表示するＣＲＴディスプレイ９１と、ジョブプログラム等を指示するためのコントロールボード９２と、ＣＲＴディスプレイ９１上の表示位置を指示するマウス９３とを備えている。
　【００３７】
ＩＩ−（５）コントローラ
　図７において、コントローラ１００は、ユーザインタフェース９０からの指示に従って画像入力装置２０、画像蓄積装置５０及び画像印字装置６０を集中的に管理するＣＰＵ１０１と、このＣＰＵ１０１が実行する各種プログラムを予め格納するＲＯＭ１０２と、Ｃｐｕ１０１との問でデータのやりとりを行う際にデータを書換え可能に格納するシステムＲＡＭ１０３と、ＣＰＵ１０１と外部機器との間を接続するＩ／Ｏインタフェース１０４とで構成されている。
　ここで、上記ＲＯＭ１０２には、各装置の起動プログラム、各装置のジョブ進行プログラム、各装置の異常処理プログラム等が予め格納されている。
　【００３８】
ＩＩＩ．フューザの温度制御
　◎フューザ構成
　この実施例において、フューザ７８は、例えば図１０に示すように、加熱用のコルツランプ１１２が組み込まれたヒートロール１１１と、このヒートロール１１１に圧接して接触転動するプレッシャロール１１３とを備え、両ロール１１１，１１３間に未定着トナー像が保持されたプリント用紙８１を通過させるようにしたものである。尚、第６図において、符号１１４はヒートロール１１１に接触してヒートロール１１１の表面温度を検出するための温度センサ（この実施例ではサーミスタが用いられる）、１１５はヒートロール１１１が過剰に昇温した時にコルツランプ１１２への通電回路を遮断するヒューズである。
　【００３９】
　◎フューザの温度制御回路
　この実施例で用いられるフューザ７８の温度制御回路例を図１１に示す。
　同図において、温度センサ１１４の抵抗変化は抵抗１２１，１２２の按分電圧変化として取り出され、Ａ／Ｄコンバーター１２３を介してＣＰＵ１０１に取り込まれる。一方、ＣＰＵ１０１からは温度センサ１１４からの温度情報に応じてフューザオンオフ信号が送出され、このフューザオンオフ信号がインタロック信号と共にナンドゲート１２４に入力され、このナンドゲート１２４の出力信号（ローレベル信号が駆動信号）に基づいてフォトトライアック１２５が制御され、コルツランプ１１２がオンオフ制御されるようになっている。尚、符号１２６は電源ソケット、１２７はスタートスイッチ、ＶＣＣは電源電圧を夫々示す。
　【００４０】
　◎フューザの温度制御シーケンス
　この実施例におけるフューザ７８の温度制御シーケンスを図１２に示す。
　同図において、ＣＰＵ１０１は、先ずヒートロールの表面温度（以下ヒートロール温度という）Ｔが過剰昇温温度ＴＨ（ヒューズ１１５が焼損される温度に相当）より大きいか否かをチェックし（ステップ〔以下ＳＴと略す〕１）、もし大きれば異常処理を行い（ＳＴ２）、しからざる場合には次のＳＴ３へ移行する。
　【００４１】
　そして、ＳＴ３においては、ヒートロール温度ＴがＴ＞Ｔ０　（Ｔ０　：ヒートロールの目標制御温度）であるか否かをチェックし、もし大きければコルツランプ１１２への通電を遮断することによりフューザをオフした（ＳＴ４）後、これまで“ＮＯＴ　ＲＥＡＤＹ”だったか否かをチェックし（ＳＴ５）、“ＮＯＴＲＥＡＤＹ”だった場合には“ＲＥＡＤＹ”をセットし（ＳＴ６）、一連の処理を終了する。
　【００４２】
　また、ＳＴ３において、Ｔ≦Ｔ０　である場合にはＳＴ７へ移行し、Ｔ＜ＴＬ（ＴＬ　：定着不良となる危険性のあるヒートロールの定着不良温度）であるか否かをチェックし、プリントジョブ中か否かをチェックしてプリントジョブ中であれば、プリントジョブを中断する（ＳＴ８，９）。
　【００４３】
　この後、その他の条件（紙詰まりがない、インタロックを開放していない、他のサブユニットの故障がない等の条件）がＯＫか否かをチェックし（ＳＴ１０）、ＯＫでなければ異常処理を行い（ＳＴ１１）、ＯＫであればコルツランプ１１２を通電加熱することによりフューザをオンし（ＳＴ１２）、一連の処理を終了する。
　【００４４】
　このようなフューザの温度制御シーケンスによれば、図１３に示すように、フューザを起動させる場合において電源をオンすると、通常ヒートロール温度ＴがＴ＜ＴＬという条件にあるため、フューザがオンし、ヒートロール温度が徐々に上昇していく。そして、ヒートロール温度Ｔが目標制御温度Ｔ０を越えるとフューザがオフになり、また、ヒートロール温度丁が目標制御温度Ｔ０を下回るとフューザがオンになるため、ヒートロール温度Ｔは僅かのオーバシュート及びアンダシュートを繰り返しながら目標制御温度Ｔ０に収束した状態に保たれる。
　【００４５】
　そして、プリント枚数の比較的少ないプリントジョブ▲１▼の場合には、上記ヒートロール温度Ｔはプリントジョブが進行するに連れて次第に降下するが、ヒートロール温度Ｔは定着不良温度ＴＬには到達しない。このとき、フューザはオンしたままであるため、プリントジョブ▲１▼が終了した段階で、ヒートロール温度Ｔは徐々に上昇し、目標制御温度Ｔ０に復帰する。
　【００４６】
　また、プリント枚数が比較的多いプリントジョブ▲２▼の場合には、上記ヒートロール温度Ｔはプリントジョブが進行するに連れて次第に降下し、プリントジョブの途中でヒートロール温度Ｔが定着不良温度ＴＬに到達する。すると、プリントジョブ▲２▼が一旦中断され、ヒートロール温度Ｔが徐々に上昇し、目標制御温度Ｔ０に復帰に復帰した段階で、再度フューザの“ＲＥＡＤＹ”セットが行われ、プリントジョブ▲２▼が再開される。
　【００４７】
ＩＶ．ジョブ制卸
（１）装置起動時のジョブ制御
　この実施例における装置起動時のジョブ制御シーケンスを図１４，１５に示す。
　同図において、ＣＰＵ１０１は、電源スイッチがオンした（ＳＴ１）段階で、画像入力装置２０，画像蓄積装置５０，画像印字装置６０に対し自己制御チェック（例えば画像蓄積装置５０であれば、ページメモリチェック、圧縮伸長チェック、ハードディスクチェック等）を行わせ、自己制御チェックがＯＫか否かを判定し（ＳＴ２，３）、自己制御チェックがＯＫであれば、次のＳＴ４へ移行し、各装置相互の通信チェックを行う（ＳＴ４）。尚、ＳＴ３，ＳＴ４において、自己制御チェック及び通信手エックがＯＫでなければ、異常処理を行う（ＳＴ５）。
　【００４８】
　そして、ＳＴ４において、通信チェックがＯＫと判定された場合には、ランプヒータオンシーケーンス（蛍光ランプ３７の予熱動作）を実行すると共に、フューザオンシーケンス（フューザ７８の予熱動作）を実行する（ＳＴ６）。尚、この実施例では、蛍光ランプ３７の予熱サイクルは２〜３分程度であり、フューザ７８の予熱サイクルは５〜１０分程度である。
　【００４９】
　更に、ランプヒータオンシーケンス実行中には、図１６に示すように、ＣＰＵ１０１は、先ずフューザ温度（ヒートロール温度に相当）ＴＦ１をモニタし（ＳＴ７）、次いで、所定時間△ｔ（この実施例では１０秒）経過した後、フューザ温度ＴＦ２をモニタ（ＳＴ８，９）し、両者の温度上昇率△ＴＦ＝ＴＦ２−ＴＦ１を計算する（ＳＴ１０）。
　【００５０】
　この後、蛍光ランプ３７が“ＲＥＡＤＹ”になったか否かをチェックし（ＳＴ１１）、蛍光ランプ３７が“ＲＥＡＤＹ”になったことを確認した後に、フューザの温度上昇率△ＴＦが規定値Ｋを越えたものであるか否かをチェックし（ＳＴ１２）、もしフューザの温度上昇率△ＴＦが規定値Ｋを越えるものであれば、通常フューザの故障はコルツランプ１１２切れとトライアック１２５の故障によるものが殆どであるから、フューザ７８の起動状態が正常であるものと予想し、プリントジヨブに先行して原稿読取りジョブ及び画像蓄積ジョブを開始する（ＳＴ１３）。尚、ＳＴ１２において、規定値Ｋを越えない場合にはＳＴ１４へ移行する。
　【００５１】
　そして、ＳＴ１４においては、フューザ温度Ｔが目標制御温度Ｔ０を越えたか否かをチェックし、もし目標制御温度Ｔ０を越えたことが確認された場合には、ジョブ（既に原稿遁
　◎フューザの温度制御シーケンス
　この実施例におけるフューザ７８の温度制御シーケンスを図１２に示す。
　同図において、ＣＰＵ１０１は、先ずヒートロールの表面温度（以下ヒートロール温度という）Ｔが過剰昇温温度ＴＨ（ヒューズ１１５が焼損される温度に相当）より大きいか否かをチェックし（ステップ〔以下ＳＴと略す〕１）、もし大きれば異常処理を行い（ＳＴ２）、しからざる場合には次のＳＴ３へ移行する。
　【００４１】
　そして、ＳＴ３においては、ヒートロール温度ＴがＴ＞Ｔ０　（Ｔ０　：ヒートロールの目標制御温度）であるか否かをチェックし、もし大きければコルツランプ１１２への通電を遮断することによりフューザをオフした（ＳＴ４）後、これまで“ＮＯＴ　ＲＥＡＤＹ”だったか否かをチェックし（ＳＴ５）、“ＮＯＴ
　よって、フューザが正常に起動せずにプリントジョブができない状況が予想される場合には、原稿読取りジョブ、画像蓄積ジョブは行われず、読取り、蓄積した原稿画像データがプリントアウトされずに無駄になる事態は有効に回避される。
　【００５５】
ＩＶ−（２）プリント時のジョブ制御
　この実施例におけるプリント時のジョブ制御シーケンスを図２０に示す。
　同図において、ＣＰＵ１０１は、先ず、フューザ温度Ｔが定着不良温度ＴＬより小さくなったか否かをチェックし（ＳＴ１）、定着不良温度ＴＬより小さくなったことを確認した段階において、画像入力装置２０の原稿読取りジョブ，画像蓄積装置５０の画像蓄積ジョブ，画像印字装置６０のプリントジョブを中断する（ＳＴ２）。
　【００５６】
　この後、図１８に示すように、ＣＰＵ１０１は、先ずフューザ温度Ｔａ１をモニタし（ＳＴ３）、次いで、所定時間△ｔ（この実施例では１０秒）経過した後、フューザ温度Ｔａ２をモニタ（ＳＴ４，５）し、両者の温度上昇率△Ｔａ＝Ｔａ２−Ｔａ１を計算し、この温度上昇率△Ｔａが規定値Ｋ１を越えたものであるか否かをチェックする（ＳＴ６）。
　【００５７】
　このＳＴ６において、もし△Ｔが規定値Ｋ１を越えるものであれば、フューザ７８の再加熱サイクル（再ウォームアップ）が正常であるものと予想し、プリントジョブに先行して原稿読取りジョブ及び画像蓄積ジョブを再開する（ＳＴ７）。尚、ＳＴ６において、△Ｔａが規定値Ｋ１を越えない場合にはＳＴ８へ移行する。
　【００５８】
　そして、ＳＴ８においては、フューザ温度Ｔが目標制御温度Ｔ０を越えたか否かをチェックし（ＳＴ８）、もし目標制御温度Ｔ０を越えたことが確認された場合には、ジョブ（既に原稿読取りジョブ及び画像蓄積ジョブが開始されている場合にはプリントジョブを指す）を再開する（ＳＴ９）。
　【００５９】
　一方、フューザ温度Ｔが目標制御温度Ｔ０を越えない条件下においては、再加熱サイクルが規定時間Ｑを経過したか否かをチェックし（ＳＴ１０）、規定時間Ｑを経過した時点で異常処理を行う（ＳＴ１１）。
　【００６０】
　このようなプリント時のジョブ制御シーケンスによれば、図１９に示すように、フューザが正常に再ウォームアップされると予想される条件下においては、フューザの再ウォームアップ中、原稿読取りジョブ（ａ，ｂ，ｃの一部）及び画像蓄積ジョブ（ａ，ｂ）がプリントジョブに先行して開始され、フューザの再ウォームアップが終了した時点（フューザＲＥＡＤＹ）でプリントジョブ（ａ，ｂ…）が開始される。
　【００６１】
　よって、再ウォームアップ中にフューザが故障してプリントジョブができない状況が予想される場合には、原稿読取りジョブ、画像蓄積ジョブは行われず、読取り、蓄積した原稿画像データがプリントアウトされずに無駄になる事態は有効に回避される。
　【００６２】
Ｖ．変形例
　この実施例においては、装置起動時及びプリント時において、フューザ７８が正常に働くことを確認した上で、原稿読取りジョブ及び画像蓄積ジョブを行うようにしているが、フューザが正常に働かないという事態は比較的稀であるため、ジョブ制御シーケンスを簡略化するという観点からすれば、図１４，１５のＳＴ７〜ＳＴ１０及びＳＴ１２を省略したり、あるいは、図１７のＳＴ２〜ＳＴ６を省略するようにしてもよい。
　【００６３】
　
実施例２
　この実施例に係るデジタル電子写真複写装置の基本的構成は実施例１と略同様であるが、プリント時のジョブ制御シーケンスが実施例１と異なるものになっている。
　この実施例におけるプリント時のジョブ制御シーケンスを図２０に示す。
　同図において、ＣＰＵ１０１は、先ずフューザ温度Ｔが定着不良温度ＴＬより小さくなったか否かをチェックし（ＳＴ１）、フューザ温度Ｔが定着不良温度ＴＬより小さくなったことを確認した時点で、温度モニタルーチンヘスキップし、最新のフューザ温度変化率△δを抽出する（ＳＴ２）。
　【００６４】
　ここで、温度モニタルーチンの具体的処理を示すと、図２１及び図２２に示すように、フューザ温度Ｔをδ１＝Ｔとしてモニタし（ＳＴ２１）、次いで、モニタ後に所定時間△ｔ（この実施例では１０秒）経過した時点で、δ２＝δ１と置き換えると共にフューザ温度Ｔをδ１＝Ｔとしてモニタし（ＳＴ２２〜２４）、フューザ温度変化率△δ：δ２−δ１を計算する（ＳＴ２５）。以後、ＳＴ２２〜ＳＴ２５を順次繰り返す。
　【００６５】
　この後、プリント用紙サイズがＢ４版以上か否かをチェックし（ＳＴ３）、Ｂ４版以上であれば、上記フューザ温度変化率△δが△δ＜ＫＬ（Ｂ４版以上のプリント用紙に対する規定値）であるか否かをチェックする（ＳＴ４）一方、Ｂ４版未満であれば、上記フューザ温度変化率△δが△δ＜Ｋｓ（Ｂ４版未満のプリント用紙に対する規定値）であるか否かをチェックする（ＳＴ５）。
　【００６６】
　そして、ＳＴ４あるいはＳＴ５においてフューザ温度変化率△δが夫々の規定値よりも小さいことが確認された場合には、フューザが正常に働いていると予想し、プリントジョブを中断させ、フューザの再加熱サイクルを実行するが、原稿読取りジョブ及び画像蓄積ジョブについては継続させる（ＳＴ６）。
　【００６７】
　一方、ＳＴ４あるいはＳＴ５においてフューザ温度変化率△δが夫々の規定値以上大きいことが確認された場合には、フューザが故障している可能性も考慮して、総てのジョブを一旦中断させる（ＳＴ７）。
　【００６８】
　この後、フューザ温度Ｔが目標制御温度Ｔ０を越えたか否かをチェックし（ＳＴ８）、もし目標制御温度Ｔ０を越えたことが確認された場合には、ジョブ（既に原稿読取りジョブ及び画像蓄積ジョブが開始されている場合にはプリントジョブを指す）を再開する（ＳＴ９）。
　【００６９】
　一方、フューザ温度Ｔが目標制御温度Ｔ０を越えない条件下においては、再加熱サイクルが規定時間Ｑを経過したか否かをチェックし（ＳＴ１０）、規定時間Ｑを経過した時点で異常処理を行う（ＳＴ１１）。
　このようなプリント時のジョブ制御シーケンスによれば、実施例１と同様な作用、効果を奏することができる。
　【００７０】
　
実施例３
　この実施例は、一つのプリントジョブを途中で中断させることなく、フューザの再加熱サイクルをジョブとジョブとの間で確実に行うようにしたものである。
　この実施例におけるプリント時のジョブ制御シーケンスを図２３に示す。
　同図において、ＣＰＵ１０１は、先ずフューザ温度Ｔが定着不良温度ＴＬ　より高い定着不良前温度ＴＬ　’（図２４参照）より低くなったか否かをチェックし（ＳＴ１）、定着不良前温度ＴＬ　’より低くなったことが確認された段階で、Ｎ＝０なる初期設定を行い（ＳＴ２）、Ｓ＞ＪＮ　を満たすか否かをチェックする（ＳＴ３）。
　【００７１】
　ここで、ＳＴ３において、Ｓは定着不良前温度ＴＬ　’から定着不良温度ＴＬまでの間に処理できると予想されるジョブ総量を示し、ＪＮはＮ番目のショブを示し、例えば、ＪＮ＝Σｋ０ｍ（Ａ４）＋ｋ１ｍ（Ｂ４）＋…（ｍ（Ａ４）：Ａ４版用紙の枚数，ｍ（Ｂ４）：Ｂ４版用紙の枚数，ｋ０，ｋ１は基準用紙サイズのプリント枚数情報に換算するための用紙サイズ毎の補正係数）のように表され、Ｊ０は印字申ジョブの残量を意味し、Ｊｋ（ｋ＝１…）は待機中ジョブを意味する。
　【００７２】
　そして、ＳＴ３において、Ｓ＞ＪＮの条件を満足する限り、Ｓ＝Ｓ−ＪＮ，Ｎ＝Ｎ＋１の置換を行った（ＳＴ４）後に再度ＳＴ３を繰り返し処理し、Ｓ＞ＪＮの条件を満足しなくなった段階において、ＪＮの前に再加熱フラグ（再加熱サイクルを実行するためのフラグ）をセットする（ＳＴ５）と共に、「Ｎジョブの前に再加熱サイクルを行います」なるメッセージを表示し（ＳＴ６）、Ｊ０〜ＪＮ−１までのプリントジョブを実行した（ＳＴ７）後、プリントジョブを中断し、フューザの再加熱サイクルを実行する（ＳＴ８）。
　【００７３】
　この間の処理は、図２４及び図２５に示ように、定着不良前温度ＴＬ’から定着不良温度ＴＬまでの間に処理できるジョブ（この実施例では、Ｊ０，Ｊ１…ＪＮ−１）を判定し、処理可能なジョブに対するプリントジョブを実行した後、フューザの再加熱サイクルを実行する。
　【００７４】
　この後、フューザ温度Ｔが目標制御温度Ｔ０を越えたか否かをチェックし（ＳＴ９）、もし目標制御温度Ｔ０を越えたことが確認された場合には、プリントジョブを再開する（ＳＴ１０）。
　【００７５】
　一方、フューザ温度Ｔが目標制御温度Ｔ０を越えない条件下においては、再加熱サイクルが規定時間Ｑを経過したか否かをチェックし（ＳＴ１１）、規定時間Ｑを経過した時点で異常処理を行う（ＳＴ１２）。
　【００７６】
　このようなプリント時のジョブ制御シーケンスによれば、フューザの再加熱サイクル後になりそうなジョブを予想することができる。このため、急ぎのジヨブがフューザの再加熱サイクル後になりそうな状況下等においては、当該ジョブをキャクセルし、他の装置にて当該ジョブを早急に処理する等適宜対処することが可能になる。
　【００７７】
　【発明の効果】
　以上説明してきたように、請求項１〜３記載の発明によれば、装置起動時において、画像印字手段の起動が終了しなくても、原稿読取り手段及び画像蓄積手段の起動が終了した時点で、原稿読取り動作及び画像蓄積動作を先行開始させるようにしたので、装置起動時におけるジョブの処理効率を上げることができるばかりか、画像印字手段の起動が終了した時点で、先に読取り、蓄積された画像について直ちに印字動作を行うことが可能になり、その分、ジョブの全処理時間を短縮化することができ、装置の生産性を改善することができる。
　【００７８】
　特に、請求項２記載の発明によれば、画像印字手段の相対的に起動時間がかかるサブユニットの起動状態を把握し、サブユニットが正常に起動すると予想される状況下でのみ、原稿読取り動作及び画像蓄積動作を先行開始させるようにしたので、サブユニットの故障により、印字動作ができないような状況下で、読取り、蓄積された画像データが無駄になるという事態を有効に回避することができる。
　【００７９】
　そして更に、請求項３記載の発明によれば、サブユニットとしての定着器の故障は完全に予熱が終了しなくても、定着器の温度変化によってある程度予想できるので、サブユニットが正常に起動するか否かの判定を容易に行うことができる。
　【００８０】
　また、請求項４〜７記載の発明によれば、プリント時において、画像印字動作が中断し、定着器の再加熱サイクルが実行されたとしても、原稿読取り動作及び画像蓄積動作を継続させるようにしたので、プリント時におけるジョブの処理効率を上げることができるばかりか、定着器の再加熱サイクルが終了した時点で、先に読取り、蓄積された画像について直ちに印字動作を行うことが可能になり、その分、ジョブの全処理時間を短縮化することができ、装置の生産性を改善することができる。
　【００８１】
　特に、請求項５記載の発明によれば、定着器の再加熱サイクル時に、画像印字手段の定着器が故障していないと予想される状況下でのみ、原稿読取り動作及び画像蓄積動作を継続させるようにしたので、定着器の故障により印字動作ができないような状況下で、読取り、蓄積された画像データが無駄になるという事態を有効に回避することができる。
　【００８２】
　そして更に、請求項６，７記載の発明によれば、定着器の故障は完全に予熱が終了しなくても、定着器の温度変化（温度上昇率あるいは温度下降率）によってある程度予想できるので、定着器の再加熱サイクル中に、定着器が故障しているか否かを容易に判定することができる。
　【００８３】
【図面の簡単な説明】
　【図１】　第一の発明に係るデジタル電子写真複写装置の概要を示す説明図である。
　【図２】　第二の発明に係るデジタル電子写真複写装置の概要を示す説明図である。
　【図３】　第三の発明に係るデジタル電子写真複写装置の概要を示す説明図である。
　【図４】　第四の発明に係るデジタル電子写真複写装置の概要を示す説明図である。
　【図５】　第五の発明に係るデジタル電子写真複写装置の概要を示す説明図である。
　【図６】　実施例１に係るデジタル電子写真複写装置の外観を示す斜視図である。
　【図７】　実施例１に係るデジタル電子写真複写装置のブロック図である。
　【図８】　ＤＡＤＨ及びＲＩＳの詳細を示す説明図である。
　【図９】　ＲＯＳ及びプリントモジュールの詳細を示す説明図である。
　【図１０】　フューザの外観図である。
　【図１１】　フューザの温度制御回路を示す説明図で有る。
　【図１２】　そのフューザの温度制御シーケンスを示すフローチャートで有る。
　【図１３】　フューザの温度変化を示す説明図である。
　【図１４】　装置起動時におけるジョブ制御シーケンスを示す第一フローチャートである。
　【図１５】　装置起動時におけるジョブ制御シーケンスを示す第二フローチャートである。
　【図１６】　定着器の起動状態が正常であると予想する際の原理説明図で有る。
　【図１７】　プリント時におけるジョブ制御シーケンスを示すフローチャートで有る。
　【図１８】　定着器の再加熱サイクル時における定着器が正常であると予想する際の原理説明図で有る。
　【図１９】　各ジョブ制御シーケンスの動作例を示すタイミングロチャートである。
　【図２０】　実施例２に係るデジタル電子写真複写装置のプリント時におけるジョブ制御シーケンスを示すフローチャートである。．
　【図２１】　温度モニタルーチンの具体例を示すフローチャートである。
　【図２２】　定着器の再加熱サイクル時における定着器が正常であると予想する際の原理説明図である。
　【図２３】　実施例３に係るデジタル電子写真複写装置のプリント時におけるジョブ制御シーケンスを示すフローチャートで有る。
　【図２４】　実施例３のプリント時におけるジョブ制御シーケンスに従った動作を示す説明図で有る。
　【図２５】　定着器の再加熱サイクル前に処理されるジョブを決定する際の原理説明図である。
　【符号の説明】
　１…原稿，２…原稿読取り手段，３…画像蓄積手段，４…画像印字手段，５…ジョブ制御手段，６…サブユニット，６ａ…定着器，７…起動状態監視手段，８…起動状態判定手段，９…ジョブ制御手段，１０…温度変化監視手段，１１…定着不良温度判定手段，１２…ジョブ制御手段，１３…温度変化率判定手段，１４…ジョブ制御手段，１５…定着不良前温度判定手段，１６…ジョブ可能量選定手段，１７…ジョブ制御手段